(57)【要約】      （修正有）【課題】杭周辺にモルタルを加圧注入することにより、杭の周面の摩擦力を増加させ、高支持力化を実現する高支持力杭の施工法を提供する。【解決手段】杭周辺にモルタル８を加圧注入する。掘削孔に鉄筋籠とともにモルタル注入管１を設置し、掘削孔にコンクリート７を打設し、コンクリート硬化後、モルタル注入管１に上下パッカー付きの注入ロッド４を挿入し、上部から順次下部に向かってモルタルを加圧注入していく。【選択図】図２
2014156716.tif 000002
【特許請求の範囲】
【請求項１】
掘削孔にコンクリートを打設する場所杭の外周部にモルタル注入管を配置し、コンクリート硬化後、モルタル注入管内に上下パッカー付きの注入ロッドを挿入し、上部から順次下部に向かってモルタルを加圧注入していくことを特徴とした高支持力杭の施工法。
【請求項２】
モルタル注入管は、掘削孔に鉄筋籠とともに設置し、掘削孔にコンクリートを打設する請求項1記載の高支持力杭の施工法。
【請求項３】
掘削孔内にＰＣ杭、ＰＨＣ杭、鋼管杭などの既製杭を設置する同時期に、杭の外周部にモルタル注入管を配置し、モルタル注入管内に上下パッカー付きの注入ロッドを挿入し、上部から順次下部に向かってモルタルを加圧注入していくことを特徴とした高支持力杭の施工法。
【請求項４】
上下パッカー付きの注入ロッドからの上部から下部に向かってのモルタルの加圧注入は、加圧注入、硬化を順次繰り返し、その注入圧を２から３ＭＰａの高圧とする請求項１、請求項３の高支持力杭の施工法。
【発明の詳細な説明】
【技術分野】
【０００１】
本発明は、杭の周面摩擦力増加による高支持力杭の施工法に関するものである。
【背景技術】
【０００２】
杭の高支持力化によって、杭の本数を減らす、あるいは杭径を小さくすることにより経済的な杭基礎構造とすることが行なわれており、既存技術として、杭周辺にモルタルを注入することにより、杭の周辺摩擦力を高める摩擦杭を打設する方法が下記特許文献に記載されている。
【特許文献１】特公平１−２１２８７号公報
【特許文献２】特開２０００−３１９８７７号公報
【０００３】
特許文献１は、周面に突起が節状に形成されかつその打ち込み側下端部を先鋭にした異形コンクリート杭本体と、この異形コンクリート杭本体外周の上下軸方向に沿って付設された複数の注入管とを鬆土質地盤からなる地中に一緒に打ち込み、次いで前記各々の注入管を半数ずつ互いに引き抜き時間を先後にずらしながら徐々に引抜くとともに、先に引抜かれる半数の注入管を通して土質安定剤を前記異形コンクリート杭本体周囲に注入し、この土質安定剤の注入で土質を安定させた後、前記後から引抜かれる半数の注入管を通してコンクリートモルタルを前記異形コンクリート杭本体周囲に充填してなることを特徴とする異形コンクリート杭の沈下阻止工法である。
【０００４】
特許文献２は、地盤に形成した掘削孔内に金属製、紙製または合成樹脂製の管状体を挿入し、前記管状体内に固形状廃棄物を投入した後、同管状体内にインナーグラウト材を注入し、さらに前記管状体と地盤との間隙にアウターグラウト材を注入することを特徴とする杭工法である。
【発明の概要】
【発明が解決しようとする課題】
【０００５】
前記特許文献１では、下部からモルタル等を充填するため、充填材が地上に散逸して周辺に十分充填できない可能性ある。
【０００６】
前記特許文献２は、上部からグラウトを加圧しないで注入する方法なので十分充填できないものである。
【０００７】
本発明の目的は前記従来例の不都合を解消し、周辺地盤と杭の間にモルタルを高圧注入することによって圧力を掛け、周面摩擦力を増加させることができる高支持力杭の施工法を提供することにある。
【課題を解決するための手段】
【０００８】
前記目的を達成するため請求項１記載の本発明は、掘削孔にコンクリートを打設する場所打ち杭の外周部にモルタル注入管を配置し、コンクリート硬化後、モルタル注入管に上下パッカー付きの注入ロッドを挿入し、上部から順次下部に向かって加圧注入していくことを要旨とするものである。
【０００９】
請求項１記載の本発明によれば、上部から下に向かって注入、硬化を繰り返していくことにより杭上部への注入材の逃げを防止することができ、高圧でのモルタル注入が可能となる。
【００１０】
請求項２記載の本発明は、モルタル注入管は、掘削孔に鉄筋籠とともに設置し、掘削孔にコンクリートを打設することを要旨とするものである。
【００１１】
請求項２記載の本発明によれば、前記請求項１の作用に加えて、場所打ち杭施工の場合であり、モルタル注入管は掘削孔に鉄筋籠とともに設置することで、適正位置に簡単かつ迅速に設置することができる。
【００１２】
請求項３記載の本発明は、掘削孔内にＰＣ杭、ＰＨＣ杭、鋼管杭などの既製杭を設置する同時期に、杭の外周部にモルタル注入管を配置し、モルタル注入管内に上下パッカー付きの注入ロッドを挿入し、上部から順次下部に向かってモルタルを加圧注入していくことを要旨とするものである。
【００１３】
請求項３記載の本発明によれば、ＰＣ杭、ＰＨＣ杭、鋼管杭などの既製杭を設置した場合であり、上部から下に向かって注入、硬化を繰り返していくことにより杭上部への注入材の逃げを防止することができ、高圧でのモルタル注入が可能となる。
【００１４】
請求項４記載の本発明は、上下パッカー付きの注入ロッドからの上部から下部に向かってのモルタルの加圧注入は、加圧注入、硬化を順次繰り返し、その注入圧を２から３ＭＰａの高圧とすることを要旨とするものである。
【００１５】
請求項４記載の本発明によれば、モルタルの加圧注入に適する数値を示す。
【発明の効果】
【００１６】
以上述べたように本発明の高支持力杭の施工法は、周辺地盤と杭の間に圧力を掛けることにより周面摩擦力を増加させることができ、その結果、確実かつ容易に高支持力杭を構築することができるものである。
【発明を実施するための形態】
【００１７】
以下、図面について本発明の実施の形態を詳細に説明する。図１〜図３は本発明の高支持力杭の施工法の１実施形態を示す各工程の説明図で、図中αは支持層を示す。
【００１８】
図１に示すように、掘削孔に鉄筋籠（図示せず）および外周部に２〜３本（杭径によって調整、φ１．２ｍ以下２本）のモルタル注入管（φ９０ｍｍ）１を設置し、場所打ち杭２のコンクリート７を打設する。
【００１９】
コンクリート７の硬化後、モルタル注入管１内に上下にパッカー３付きの注入ロッド４を挿入し、モルタル８を上部から順次下部に向かって加圧注入していく。この上下パッカー付きの注入ロッド４からの上部から下部に向かってのモルタルの加圧注入は、加圧注入、硬化を順次繰り返し、その注入圧は２〜３ＭＰａ（２０〜３０ｋｇｆ／ｃｍ２）とする。
【００２０】
注入ロッド４の上下に付けるパッカー３は、図５に示すように膨張または弾性体からなる管内閉鎖体であり、空気圧などによって間隔を存して配置されるモルタル注入管１と注入ロッド４の間を閉塞できるようになっている。
空気圧の除去によって、パッカー３は小さくなりモルタル注入管との間に隙間ができることから、注入ロッド４の上下移動、再注入が可能である。
【００２１】
一方、モルタル注入管１には上下に適宜間隔で注入孔５が穿設され、その外周にゴム（ラバー）スリーブであるゴムリング６が被覆している。なお、ゴムリング６はそれ自体が注入孔５に対する逆止弁として作用する。
【００２２】
モルタル８を上部から下に向かって注入、硬化を繰り返していくことにより杭周辺地盤上部への注入材の逃げを防止することができ、高圧でのモルタル注入が可能となる。
【００２３】
モルタル注入管１は３ｍ間隔でφ１０ｍｍの孔（注入孔５）およびゴムホースカバーが設けられており、注入毎に水洗浄しておくことにより、どの深度からでも、何度でも注入することが可能である。
【００２４】
周辺地盤が砂層の場合、周面摩擦力は注入圧に比例して大きくなっていくことから支持力が増加する。粘性土の場合は圧密の進行に従って摩擦力は増加していくが時間が掛ることから、設計としては支持力の増加を考えない。
【００２５】
以上の実施形態では場所打ち杭２を例に記載したが、掘削孔内にＰＣ杭、ＰＨＣ杭、鋼管杭などの既製杭を設置した場合にも、同時期に杭の外周部にモルタル注入管１を配置し、同様な方法による杭周面のモルタル加圧注入を行うことによって、周面摩擦を大きくすることが可能である。
【図面の簡単な説明】
【００２６】
【図１】本発明の高支持力杭の施工法の１実施形態を示す第１工程の説明図である。
【図２】本発明の高支持力杭の施工法の１実施形態を示す第２工程の説明図である。
【図３】本発明の高支持力杭の構造および施工法の１実施形態を示す第３工程の説明図である。
【図４】本発明の高支持力杭の施工法の場所打ち杭の１実施形態を示す横断平面図である。
【図５】本発明の高支持力杭の施工法で使用するモルタル注入管１およびパッカー３付きの注入ロッド４の説明図である。
【符号の説明】
【００２７】
１…モルタル注入管            ２…場所打ち杭
３…パッカー                  ４…注入ロッド
５…注入孔                    ６…ゴムリング
７…コンクリート              ８…モルタル
【図１】
2014156716.tif 000003
【図２】
2014156716.tif 000004
【図３】
2014156716.tif 000005
【図４】
2014156716.tif 000006
【図５】
2014156716.tif 000007